(57)【要約】  本発明による装置は、その内側に、化粧品を収容するための区画(18)を画定するベース(12)と、閉じた使用されていない構成と開放した使用構成との間で前記ベース(12)に対して可動式に設置される蓋(14)と、を備える。  この装置は、アクティブ面(active surface) (52)と、アクティブ面(active surface) (52)の反対側の面(54)と、を有するインサート(16)を備える。  この装置は、前記インサート(16)を格納位置から使用位置に移動させるために、前記ベース(12)に対する前記蓋(14)の移動時に前記インサート(16)を移動するのに適した、前記インサート(16)を前記蓋(14)に対して裏返すための機構(22)を備える。  前記アクティブ面(active surface) (52)は、前記格納位置において前記蓋(14)に向かって配向され、開放構成において前記蓋(14)から離れるように配向される。
2014518113.tif 000002
【特許請求の範囲】
【請求項１】
内側に、化粧品を収容するための区画(18)を画定するベース(12)と、
前記ベース(12)に永続的に設置された蓋(14)であって、前記蓋(14)が前記収容区画(18)を覆っている閉じた静止構成と、開放した使用構成との間で前記ベース(12)に対して可動式に設置される蓋(14)と、
美容的な処置を行うのに使用されることが意図されたアクティブ面(active surface) (52)と、前記アクティブ面(active surface) (52)と反対側の面(54)とを有しており、前記閉鎖構成において前記ベース(12)と前記蓋(14)との間に配置されるインサート(16)と、を備える
化粧品を包装するための装置(10)であって、
前記閉鎖構成において前記インサートが占める格納位置(16)から、前記開放構成において前記インサート(16)が占める使用位置まで前記インサート(16)を移動させるために、前記インサート(16)を前記蓋(14)に対して裏返すための機構(22)を備え、前記機構(22)が、前記ベース(12)に対して前記蓋(14)が移動する際に前記インサート(16)を移動させることができ、前記アクティブ面(active surface) (52)が前記格納位置において前記蓋(14)に向かって配向され、前記開放構成において前記蓋(14)から離れるように配向されること、および
前記インサート(16)の後方端部が、前記蓋(14)の上に摺動可能に設置され、前記回転機構(22)が有利に、前記蓋(14)によって担持される第2のガイドレール(64)と、その後方端部の近傍において前記インサート(18)によって担持される第2のガイド部材(70)とを備え、前記第2のガイド部材(70)が前記第2のガイドレール(64)内に収容されることを特徴とする装置(10)。
【請求項２】
前記インサート(16)が鏡を備え、前記アクティブ面(active surface) (52)が、前記鏡の反射面であることを特徴とする、請求項1に記載の装置(10)。
【請求項３】
伸張した前記使用位置において、前記インサート(16)が、前記ベース(12)に対して傾斜した面に沿って延在することを特徴とする、請求項1または2に記載の装置(10)。
【請求項４】
前記インサート(16)が、前記ベース(12)に摺動可能に設置された前方端部を備え、前記インサート(16)の後方端部が前記蓋(14)に対して枢動可能に設置されており、前記回転機構(22)が有利に、前記ベース(12)によって担持される第1のガイドレール(60)と、前記インサート(16)の前記前方端部の近傍で前記インサート(16)によって担持される第1のガイド部材(68)と、を備え、前記第1のガイド部材(68)が、前記第1のガイドレール(60)内に収容されることを特徴とする、請求項1から3のいずれか一項に記載の装置(10)。
【請求項５】
前記回転機構(22)は、前記蓋(14)が、その閉鎖構成と開放構成との間を移動する際、前記ベース(12)に対する前記インサート(16)の前記前方端部の移動を少なくとも部分的に固定するための固定突起(62)を備えることを特徴とする、請求項3または4に記載の装置(10)。
【請求項６】
前記蓋(14)は、前記開放した使用構成を越えて完全に開放した構成まで、前記ベース(12)に対して移動可能であり、前記インサート(16)の前記前方端部が、前記蓋(14)が前記完全に開放した構成まで移動する際、前記固定突起(62)を通過することができることを特徴とする請求項5に記載の装置(10)。
【請求項７】
前記蓋(14)が前記完全に開放した構成から前記開放した使用構成に移動する際、前記インサート(16)の前記前方端部が、前記固定突起(62)に対して当接可能であることを特徴とする請求項6に記載の装置(10)。
【請求項８】
前記蓋(14)が前記完全に開放した構成から前記開放した使用構成に移動する際、前記インサート(16)の前記後方端部は、前記ベース(12)から移動して離れるように前記蓋(14)上で摺動可能であり、前記インサート(16)の前記前方端部が、前記固定突起(62)によって阻止された状態のままであることを特徴とする請求項7に記載の装置(10)。
【請求項９】
前記蓋が前記完全に開放した構成から前記開放した使用構成に移動する際、前記回転機構(22)が、前記インサート(16)の前記後方端部を押すのに適したカム面(76)を画定する傾斜路(66)を備えることを特徴とする請求項1から8のいずれか一項に記載の装置(10)。
【請求項１０】
前記蓋(14)が、前記閉鎖構成と前記開放した使用構成との間で前記ベース(12)に対して枢動可能に設置されることを特徴とする請求項1から9のいずれか一項に記載の装置(10)。
【請求項１１】
前記インサート(16)が、前記アクティブ面(active surface) (52)とは反対側の面(54)を有し、前記反対側の面(54)が、前記格納位置において前記収容区画(18)に対向するように位置決めされることを特徴とする請求項1から10のいずれか一項に記載の装置(10)。
【請求項１２】
請求項1から11のいずれか一項に記載の装置(10)を設けるステップであって、前記蓋(14)が、前記閉鎖構成を占める、ステップと、
前記蓋(14)を前記開放した使用構成に移動させるように前記蓋(14)を操作するステップであって、前記蓋(14)を前記閉鎖構成から前記開放した使用構成に移動させることによって、前記インサート(16)を、前記閉鎖位置において前記インサート(16)が占める格納位置から前記開放構成において前記インサート(16)が占める伸張した使用位置に移動させ、前記アクティブ面(active surface) (52)が、前記格納位置において前記蓋(14)に向かって配向され、前記開放構成において前記蓋(14)から離れるように配向される、ステップと、を備える
ことを特徴とする化粧品を使用するための方法。
【請求項１３】
-  前記操作するステップが、前記開放した使用構成を越えて位置する完全に開放した構成に前記蓋(14)を移動させるステップと、前記蓋(14)を前記閉鎖構成に向けて前記開放した使用構成に戻るように移動させるステップと、を備えることを特徴とする請求項12に記載の方法。
【発明の詳細な説明】
【技術分野】
【０００１】
本発明は、化粧品を包装するための装置に関する。この装置は、内側に、化粧品を収容するための区画を画定するベースと、ベースに永続的に設置された蓋であって、収容区画を覆っている閉じた静止構成と、開放した使用構成と、の間でベースに対して可動式に設置された蓋と、美容的な処置を行うのに使用されることが意図されたアクティブ面
(active surface)と、アクティブ面(active surface)の反対側の面と、を有しており、閉鎖構成においてベースと蓋との間に配置されるインサートとを備える。
【０００２】
本発明による「化粧品」という用語は、たとえば粉体、液体またはクリームのような固体物など、人に塗布することが意図された化粧用製品を指す。
【０００３】
「化粧品」という用語は、体の表面に化粧用製品を塗布するのに使用される器具を指すこともあり、その器具は例えばブラシまたはタッチアップブラシである。「化粧品」は、爪みがきなどの美容的な処置用の器具である場合もある。
【背景技術】
【０００４】
「化粧用製品」はより一般的には、1993年6月14日付けの審議会指令93/35/EECで定義されたものなどの製品である。
【０００５】
包装装置は、その格納、販売および利用を視野に入れた上で、化粧品を中に収容し、これを移動させるのに適している。
【０００６】
例えば、特許文献１では、化粧用製品を中に収容しているベースを備えたケーシングが開示されており、その上に鏡を装備した蓋が関節式に接合されている。蓋の閉鎖構成において、鏡は、ベースの中に収容された化粧用製品に向くように配向され、それと接触している。
【０００７】
そのようなケーシングは、十分に満足できるものではない。当然のことながら、ケーシングが閉じられる際、鏡が、ベース内に収容された化粧用製品によって汚れやすくなり、化粧用製品に接触し、その後のミラーの使用が不快なものになる。
【０００８】
鏡がケーシング内に収容される化粧用製品によって汚れるのを防ぐために、特許文献２では、鏡と、ケーシングが閉じられたとき、スリーブ内に引っ込む引き出しの中に設けられた化粧用製品の区画とを備えたケースを記載している。ケーシングの閉鎖された格納構成において、このスリーブによって、鏡と、引き出しの中に収容された化粧用製品との間に位置し、これによって鏡が汚れるのを防ぐ。しかしながらそのようなケーシングは、設計および組立てが複雑である。
【０００９】
特許文献３では、鏡がケーシングの外側の面に設けられた化粧用製品のケーシングが記載されている。そのような解決法は、満足できるものではなく、それは、鏡が外部環境に直接曝され、特に使用者の指によって汚されやすい、また、例えば使用者のハンドバックの中に見られる物との接触によって汚されやすいためである。
【００１０】
特許文献４では、ケーシングの閉鎖位置における筐体及び本体と、化粧用製品の区画を備えた引き出しと、引き出しの上に摺動可能に設置された蓋とを備える化粧用製品のケーシングが記載されている。この蓋はその上面に鏡を備えており、これは引き出しから離れるように配向されている。この蓋は、引き出しに対して摺動可能に設置されるため、引き出しおよび蓋が、引き出しの開放位置において本体から滑り出たときに化粧用製品の区画を露出させる。そのようなケーシングは、その利用が複雑であるため、十分に満足できるものではない。
【先行技術文献】
【特許文献】
【００１１】
【特許文献１】欧州特許第1510148号明細書
【特許文献２】仏国特許発明第2 937 017号明細書
【特許文献３】米国特許第7 828 000号明細書
【特許文献４】国際公開第2008/028854号
【発明の概要】
【発明が解決しようとする課題】
【００１２】
本発明の1つの目的は、使用しやすく、作製費用がかからない、インサートを中に収容する化粧用製品のケーシングを得ることであり、このインサートは、損傷から保護される。
【課題を解決するための手段】
【００１３】
この目的のために、本発明は、化粧品を包装するための装置に関する。本発明は、インサートを蓋に対して裏返すための機構を備え、この機構は、ベースに対して蓋が移動する際にインサートが移動することを可能とし、閉鎖構成においてインサートが占める格納位置から、開放構成においてインサートが占める使用位置まで移動させる。そのアクティブ面(active surface)は、格納位置において蓋に向かって配向され、開放構成において蓋から離れるように配向されることを特徴とする。
【００１４】
本発明によるケーシングは、1つまたは複数の以下の特徴を単独でまたは何らかの技術的に可能な組合せにおいて備えることができる。
インサートは、鏡を備え、そのアクティブ面(active surface)は、鏡の反射面である。
その伸張した使用位置において、インサートは、ベースに対して傾斜した面に沿って延在する。
インサートは、ベースに摺動可能に設置された前方端部を備え、インサートの後方端部は、蓋に対して枢動可能に設置されており、回転機構は、有利にはベースによって担持される第1のガイドレールと、インサートの前方端部の近傍でインサートによって担持される第1のガイド部材とを備え、第1のガイド部材は、第1のガイドレール内に収容される。
回転機構は、蓋がその閉鎖構成と開放構成の間を移動する際、ベースに対するインサートの前方端部の移動を少なくとも部分的に固定するための固定突起を備える。
蓋は、開放した使用構成を越えて完全に開放した構成までベースに対して移動可能であり、インサートの前方端部は、蓋が完全に開放した構成まで移動する際、固定突起を通過することができる、
インサートの前方端部は、蓋が完全に開放した構成から開放した使用構成に移動する際、固定突起に対して当接可能である。
インサートの後方端部が、蓋の上に摺動可能に設置され、回転機構が、有利には蓋によって担持される第2のガイドレールと、その後方端部の近傍においてインサートによって担持される第2のガイド部材とを備え、第2のガイド部材は第2のガイドレール内に収容される。
蓋が完全に開放した構成から開放した使用構成に移動する際に、インサートの後方端部が、ベースから移動し離れるように蓋の上で摺動することが可能であり、インサートの前方端部は、固定突起によって阻止された状態のままである。
回転機構が、蓋が完全に開放した構成から開放した使用構成に移動する際、インサートの後方端部を押すのに適したカム面を画定する傾斜路を備える。
蓋が、閉鎖構成と開放した使用構成の間でベースに対して枢動可能に設置される。
インサートが、アクティブ面(active surface)と反対側の面を有し、この反対側の面が、格納位置において収容区画に対向するように位置決めされる。
【００１５】
本発明はまた、その蓋がその閉鎖構成にある、上記に記載される装置を設けるステップと、蓋をその開放した使用構成に移動させるように蓋を操作するステップであって、蓋をその閉鎖構成からその開放した使用構成に移動させることによって、インサートを閉鎖位置においてインサートが占める格納位置から開放構成においてインサートが占める伸張した使用位置に移動させ、そのアクティブ面(active surface)が、格納位置において蓋に向かって配向され、開放構成において蓋から離れるように配向される、ステップとを備える、化粧品を使用するための方法に関する。
【００１６】
本発明による方法は、1つまたは複数の以下の特徴を単独でまたは何らかの技術的に可能な組合せにおいて備えることができ、すなわち前記操作するステップが、蓋を開放した使用構成を越えて位置する完全に開放した構成まで移動させるステップと、蓋を閉鎖構成に向けて開放した使用構成に戻るように移動させるステップとを含んでもよい。
【００１７】
本発明は、単に1つの例として提供された以下の記載を、添付の図面を参照して考慮することでより理解しやすくなるであろう。
【図面の簡単な説明】
【００１８】
【図１】閉鎖構成における、本発明による第1の包装装置の正中面に沿った断面図である。
【図２】完全に開放した構成における図1と同様の図である。
【図３】開放した使用構成における図1と同様の図である。
【図４】不完全に閉じた構成における図1と同様の図である。
【発明を実施するための形態】
【００１９】
以下、「前方」という用語は、閉鎖構成においてこの装置の使用者の最も近くに位置決めされることが意図されることを意味することが理解され、その一方で「後方」という用語は、閉鎖構成において使用者から最も遠くに位置決めされることが意図されることを意味することが理解される。
【００２０】
本発明による第1の装置10が図1から図4に示されている。この装置10は、少なくとも1つの化粧品を中に収容することが意図されている。
【００２１】
装置10の中に収容される化粧品は、たとえば体の表面に塗布されることが意図される化粧用製品であり、たとえば粉体、粘性の液体またはクリームなどである。
【００２２】
このケーシング内に収容される化粧品はまた、例えば、ブラシまたはタッチアップブラシなどで構成されるアプリケータのような、体の表面に化粧用製品を塗布するのに使用される器具であってよい。
【００２３】
図1から図4に示されるように、装置10は、ベース12と、ベース12に対して可動式に設置された蓋14と、ベース12と蓋14との間に挿入されたインサート16と、を備える。
【００２４】
装置10は、蓋14とベース12との間に位置する内部空間17の中に、化粧品を収容するための少なくとも1つの内部の収容区画18を画定する。
【００２５】
装置10はさらに、蓋14をベース12に対して関節式に接合するための関節式の接合機構20と、インサート16を蓋14に対して裏返すための回転機構22とを備える。
【００２６】
ベース12は、支持体の上に配置されることが意図された底部壁24と、この底部壁24に対して上向きに突出する周辺の壁26とを備える。
【００２７】
周辺の壁26および底部壁24が、底部において内部空間17を画定する。区画18が、壁24、26の間でベース12内に設けられる。
【００２８】
周辺の壁26は、2つの側部領域28を備え、その一方を図2において見ることができる。側部領域28は、ベース12の中央の水平方向軸A-A'の両側に延在する。
【００２９】
蓋14は、頂部パネル30と、頂部パネル30からベース12に向かって突出する側壁32とを備える。側壁32は、蓋14がベース12を覆ったとき、周辺の壁26の上部の自由縁部34に対してもたれかかるように意図された下部の自由縁部36を有する。
【００３０】
従来、関節式の接合機構20は、軸A-A'に直交するように有利に配置された水平方向軸40を備える。軸40は、ベース12の後方縁部42を通り、蓋14の後方縁部44を通るように挿入される。
【００３１】
蓋14は、図1に示される閉鎖構成と、図2に示される完全に開放した構成と、閉鎖構成と完全に開放した構成との間の中間にある開放した使用構成との間で、ベース12に対して軸40の周りを好適に回転可能である。開放した使用構成は、図3に示されている。
【００３２】
閉鎖構成において、蓋14は、その頂部においてベース12を密閉する。それは、軸A-A'にほぼ平行な中央軸B-B'を有する。内部区画18が次に密閉され、装置10の外側から利用できなくなる。内部空間17は、インサート16を中に収容している。上部の自由縁部34が、下部の自由縁部36に当たるように適用される。
【００３３】
完全に開放した位置では、蓋14は、最大角度まで枢動されており、この角度はたとえば90°を超え、具体的には軸40を中心として100°を超える。それはベース12に対して後方に傾けられることで、ベース12の上に位置する空間を空けている。このとき区画18への接近は、頂部において遮るものがない。
【００３４】
図3に示される開放した使用構成では、蓋14は、その閉鎖構成に戻るようにある程度傾けられることで、完全に開放した構成における開放角度より小さい開放角度を有する。区画18に対する接近は、遮られない状態のままである。
【００３５】
この開放角度はたとえば、実質的に90°前後、具体的には80°から120°の間、具体的には90°から100°の間である。
【００３６】
この例において、インサート16は、鏡50で構成されている。それは、アクティブ面(active surface)52と、反対側の面54とを備える。アクティブ面(active surface)52は、反射面である。反対側の面54は、不透明な面である。
【００３７】
インサート16は、閉鎖構成において軸A-A'に沿って測定された長さを有し、これは蓋14の長さおよびべース12の長さより短い。
【００３８】
インサート16は全体的に、内部空間17の中に収容される。このために、軸A-A'に直交するように測定されたとき、インサート16は、蓋14の高さより薄い厚さを有し、ベース12の高さより薄い厚さを有する。
【００３９】
以下に示されるように、インサート16は、回転機構22を介して、そのアクティブ面(active surface)52が、頂部パネル30に対向するように位置決めされる図1に示される格納位置と、そのアクティブ面(active surface)52が頂部パネル32から離れるように向くように位置決めされる使用位置と、の間で蓋14に対して枢動させることが可能である。
【００４０】
格納位置において、反対側の面54は、ベース12によって画定される区画18に対向し、パネル30から離れるように向くように位置決めされる。反対に使用位置では、反対側の面54が、概ねパネル30に対向し、一部が区画18に対向するように延在する。
【００４１】
図1から図4に示されるように、回転機構22は、ベース12によって担持される第1のガイドレール60と、第1のガイドレール60内に配置された固定突起62と、蓋14によって担持される第2のガイドレール64とを備える。
【００４２】
回転機構22は、有利にはインサート16を移動させるために蓋14によって担持される傾斜路66をさらに備える。それは、前方ガイド部材68と、後方ガイド部材70とを備え、ガイド部材68、70は、インサート16によって担持されている。
【００４３】
第1のレール60は、軸A-A'に平行して延在する。図面に示される例では、機構22は、2本の平行なレール60を備え、これらは対向する側部領域28においてインサート16の両側に配置されている。
【００４４】
レール60は、上部の自由縁部36にほぼ平行して延在している。
【００４５】
固定突起62が、レール60内に配置される。それは、側部領域28から中心軸A-A'に向かって横向きに突出している。たとえばそれは、米粒形状の突起で構成される。
【００４６】
図面に示される例では、各々の第1のガイドレール60は有利には、1つの突起62を備える。
【００４７】
以下に示されるように、蓋14が、その閉鎖構成からその完全に開放した構成に移動する際、各々の突起62は、インサート16によって担持される前方ガイド部材68と協働することで、前方ガイド部材68をレール60内で突起62の後方に移動させることができる。
【００４８】
蓋14が、その完全に開放した構成から開放した使用構成に移動する際、各々の突起62は、前方ガイド部材68の前方移動をある程度阻止するのに適している。
【００４９】
第2のガイドレール64は、蓋14の側壁32によって担持される。それは、閉鎖構成において自由縁部34および軸A-A'にほぼ平行に延在する長手方向の後方部分72を備える。
【００５０】
第2のレール64は、自由縁部34に向かって湾曲する前方部分74を備える。
【００５１】
湾曲部分74の長さは、有利には長手方向部分72の長さより短い。
【００５２】
図面に示される例では、回転機構22は、2本の平行するレール64を備え、これらは蓋14の中央軸B-B'の両側で互いに対向するように位置する。
【００５３】
可動傾斜路66が、第2のレール64に平行して延在する。それは、側壁32から蓋14の中心軸B-B'に向かって横方向に突出している。
【００５４】
傾斜路66は、閉鎖構成においてベース12に向かって誘導されるカム面76を画定する。カム面76は、インサート16の後方縁部と協働するように意図されることで、ベース12に対してそれを持ち上げることが可能である。
【００５５】
図面に示される例では、各々の第1のレール60は、前方ガイド部材68を摺動可能に収容する。
【００５６】
各々の前方ガイド部材68は、インサート16に対して中心軸A-A'から離れるように横方向に突出している。それは、たとえばレール60内に収容されたピンで構成される。ガイド部材68は、インサート16の前方縁部の近傍に配置される。
【００５７】
図面に示される例では、各々の第2のレール64は、後方ガイド部材70を摺動可能に収容する。後方ガイド部材70は、インサート16に対して軸A-A'から離れるように横方向に突出している。それは、インサート16の後方縁部の近傍に配置される。
【００５８】
内部空間17は、少なくとも1つの収容区画18を備える。一実施形態において、化粧品は、固体物の形態、具体的には、区画18内に収容される粉体または潮解性の可溶性物質の形態の1つの塊の化粧用製品で構成される。代替的に、収容区画18は、化粧用製品を塗布するための器具または美容的な処置器具を中に収容する。
【００５９】
装置10の作用を以下に記載する。最初、装置10の格納中、蓋14はその閉鎖構成にある。
【００６０】
パネル30と側壁32とが、頂部において内部空間17を密閉することで、区画18の中に収容される化粧品への接触を阻止する。
【００６１】
この構成において、インサート16は、ベース12と蓋14との間で内部空間17の中を通るように延在する。それは、パネル30および底部壁24に対してほぼ平行に延在する。
【００６２】
インサート16は、その格納位置を占めている。インサート16のアクティブ面(active surface)52はこうして、パネル30に対向し、ベース12から離れるように向くように配置される。従ってそれは、ベース12と接触するまたはベース12に対向することがなく、アクティブ面(active surface)52を汚すことを制限し、あるいはこの面に対する衝撃を制限する。
【００６３】
この構成において、各々の前方ガイド部材68は、第1のガイドレール60の前方端部の近傍で、突起62の前方の所でこのレール60内に配置される。
【００６４】
各々の後方ガイド部材70は、後方部分72におけるレール64の後方端部の近傍で、蓋14によって担持される第2のガイドレール64の中に配置される。
【００６５】
使用者が、内部空間17の中に収容される化粧用の付属品を利用したい思うとき、使用者は、蓋14を解放し、それをその完全に開放した構成に移動させる。
【００６６】
この目的のために、使用者は蓋14を持ち上げ、それを軸40を中心として第1の回転方向に後方に向かって傾ける。この動作の間、および図2に示されるように、後方ガイド部材70は、第2のガイドレール64の後方端部の近傍に配置された状態のままであり、インサート16を後方に移動させる。この動作により、各々の前方ガイド部材68のガイドレール60内での突起62までの摺動作用が誘発される。
【００６７】
この動作の間、インサート16は、後方ガイド部材70を中心として少なくとも90°だけ蓋14に対して枢動し、アクティブ面(active surface)52を頂部パネル30から離れるように移動させる。
【００６８】
インサート16はこのように蓋14に対して裏返される。
【００６９】
使用者が蓋14をその完全に開放した構成に後方に移動させ続けた場合、前方ガイド部材68は突起62を通過し、レール60の後方端部と、突起62と、の間に位置するレール60の後部に到達する。
【００７０】
突起62に前方ガイド部材68が到達したとき、使用者は、第1の方向と反対の第2の回転方向に、前方に向けて戻すように蓋14を傾ける。
【００７１】
後方ガイド部材70は、後方ガイドレール64の中に実質的に固定されたままであり、各々の前方ガイド部材68がその後方において固定突起62に対して当接するまで、インサート16は、前方に向かって戻るように移動する。
【００７２】
この突起62に一度到達すると、蓋14の前方に向かう枢動作用によって、後方ガイド部材70が、第2のガイドレール64内を上向きに摺動することで、湾曲部分74に到達する。これにより、傾斜路66のカム面76とインサート16の後方縁部との間のカム作用に起因してインサート16をベース12に対して持ち上げる。
【００７３】
インサート16の後方縁部が持ち上がったとき、インサート16の蓋14に対する相対的な枢動作用は、蓋14がその使用構成になるまで継続する。
【００７４】
開放した使用構成において、インサート16の反対側の面54は、パネル30に対向し、部分的にベース12に対向するように位置している。アクティブ面(active surface)52は、パネル30およびベース12から離れるように配向されることで、装置の使用者が利用できるようになる。
【００７５】
インサート16はそれから、ベース12に対して伸張した位置になり、この位置においてそれはベース12から上向きに突出し、その一方でベース12の中央の面に対して傾斜している。インサートの傾斜角度αは、30°を超え、具体的には45°辺りである。
【００７６】
区画18より上に位置する空間には遮るものがない。
【００７７】
使用者が、再び装置10を閉じたいと思うとき、彼/彼女は、蓋14を第2の方向に回転させることで、蓋14の前方縁部をベース12の前方縁部に向かって移動させる。
【００７８】
この傾斜動作の間、後方ガイド部材70は最初は、後方ガイドレール64内に固定されたままである。インサート16をベース12に向かって傾斜させることで、前方ガイド部材68がロック突起62を通過し、ガイドレール60内を前方に移動する。
【００７９】
前方ガイド部材68が、第1のガイドレール60の前方端部に到達したとき、蓋14の傾斜動作によって、後方ガイド部材70が、傾斜路66に平行して第2のガイドレール64の後方端部に向かって摺動する。
【００８０】
この動作において、インサート16の後方端部は、面76に対するカム作用に起因して摺動し、これによりインサート16を下げ、蓋14に対して裏返される。
【００８１】
蓋14が、その閉鎖構成に達したとき、インサート16のアクティブ面(active surface)52は、パネル30に向かって枢動し、パネル30に対向し、区画18から離れるように向くように延在する。
【００８２】
本発明による装置10はこのように、たとえ装置10が化粧用の付属品、たとえば化粧用製品または化粧用製品の塗布要素を中に収容している場合であっても、インサート16のアクティブ面(active surface)52が、汚れまたは衝撃で損傷するリスクを最小限にすることを保証する。
【００８３】
具体的には、インサート16が反射するアクティブ面(active surface)52を備える鏡である場合、蓋がその閉鎖構成にあるとき、この面は、この製品に対向するように配置されず、蓋に対向するように位置決めされた状態のままである。
【００８４】
装置10が格納中に損傷するリスクはこのようにして最小限になる。よって包装装置10は、インサートと協働して中に収容される化粧用の付属品を充填、移動および格納するのに適しており、その一方で最適な格納品質を保持している。
【００８５】
代替の一実施形態において、ベース12および/または蓋14は、伸張式の引き出し(図示せず)を備える。伸張式の引き出しは、有利には、蓋14が、その閉鎖構成以外の構成にあるとき、開放することが可能である。
【００８６】
更に代替の一実施形態において、インサート16は、アクティブ面(active surface)52へと開放する第2の化粧用の付属品、たとえば第2の化粧用製品を収容するための区画を画定する。
【００８７】
アクティブ面(active surface)52は常に、ベース12から離れるように向いた状態のままであり、ベース12内に収容される化粧用製品とインサート16の中に収容される化粧用製品との接触による損傷のリスクはこれにより最小限である。
【００８８】
より一般的には、「アクティブ面(active surface)」という用語は、化粧用製品を塗布するなどの美容的な処置を行うための有効な機能を有するインサートの面を指す。アクティブ面(active surface)52は、鏡の反射面である、または化粧品を収容するための区画を備えた面である。
【００８９】
反対側の面54は、有利には、非使用の面であり、すなわち美容的な処置を行うのに利用するのに適していない面である。
【符号の説明】
【００９０】
10    装置
12    ベース
14    蓋
16    インサート
17    内部空間
18    区画
20    関節式の接合機構
22    回転機構
24    底部壁
26    周辺の壁
28    側部領域
30    頂部パネル
32    側壁
34    上部の自由縁部
36    下部の自由縁部
40    軸
42    ベースの後方縁部
44    蓋の後方縁部
50    鏡
52    アクティブ面
54    反対側の面
60    第1のガイドレール
62    固定突起
64    第2のガイドレール
66    傾斜路
68    前方ガイド部材
70    後方ガイド部材
72    後方部分
74    湾曲部分
76    カム面
A-A'    中心軸
B-B'    中央軸
α    傾斜角度
【図１】
2014518113.tif 000003
【図２】
2014518113.tif 000004
【図３】
2014518113.tif 000005
【図４】
2014518113.tif 000006
【国際調査報告】
2014518113.tif 000007
2014518113.tif 000008
2014518113.tif 000009
2014518113.tif 000010